(57)【要約】      （修正有）【課題】ケーシングの内部に複数の配線部を収納する場合であっても、配線部がケーシング内部の他の部品に接触することを抑制しつつ、ケーシングを小型化させることができる衛生洗浄装置を提供する。【解決手段】ケーシングと、前記ケーシングの内部に設けられる機能部と、前記ケーシングの内部に設けられ、前記機能部を制御する制御部と、前記機能部または外部電源と、前記制御部と、を接続する複数の配線部８１と、前記複数の配線部８１を前記ケーシングの内部の所定の位置に保持する保持部材９０と、を備えたことを特徴とする衛生洗浄装置。【選択図】図５
2020100962.tif 000002
【特許請求の範囲】
【請求項１】
ケーシングと、
前記ケーシングの内部に設けられる機能部と、
前記ケーシングの内部に設けられ、前記機能部を制御する制御部と、
前記機能部または外部電源と、前記制御部と、を接続する複数の配線部と、
前記複数の配線部を前記ケーシングの内部の所定の位置に保持する保持部材と、
を備えたことを特徴とする衛生洗浄装置。
【請求項２】
前記複数の配線部の少なくとも一つは、接続線と、コネクタと、を有し、
前記保持部材は、前記コネクタを保持することを特徴とする請求項１記載の衛生洗浄装置。
【請求項３】
前記制御部は、スイッチング電源回路を有し、
前記コネクタは、前記外部電源に接続される端子と前記スイッチング電源回路との間に設けられる電源コネクタであり、
前記保持部材は、前記電源コネクタと前記スイッチング電源回路との間に設けられる隔離壁を有することを特徴とする請求項２記載の衛生洗浄装置。
【請求項４】
前記保持部材は、前記コネクタの上方の少なくとも一部を覆うカバー部を有することを特徴とする請求項２または３に記載の衛生洗浄装置。
【請求項５】
前記カバー部は、開口を有することを特徴とする請求項４記載の衛生洗浄装置。
【請求項６】
使用者の局部に向けて水を吐出するノズルと、給水源から供給された水を前記ノズルに導く導水部と、をさらに備え、
前記保持部材は、前記複数の配線部の少なくとも一つと前記ノズル及び前記導水部の少なくともいずれかとの干渉を規制するための規制部を有することを特徴とする請求項１〜５のいずれか１つに記載の衛生洗浄装置。
【発明の詳細な説明】
【技術分野】
【０００１】
本発明の態様は、一般的に、衛生洗浄装置に関する。
【背景技術】
【０００２】
従来から、衛生洗浄装置の各機能部と制御基板などの制御部とを接続する配線部や、制御部と外部電源とを接続する配線部の一部を、ケーシングの内部に収納することが知られている。ケーシングの内部には、収納されたこれらの配線部がケーシング内部の他の部品に接触することを抑制するために、配線部を所定の位置に保持する保持部材が設けられる。
【先行技術文献】
【特許文献】
【０００３】
【特許文献１】特開２０１０−１９６３６８号公報
【発明の概要】
【発明が解決しようとする課題】
【０００４】
近年、デザイン性向上のために、衛生洗浄装置の小型化や低シルエット化が求められている。ケーシングの内部には複数の配線部が収納される場合があるが、複数の配線部のそれぞれに対して別々の保持部材を設けると、保持部材を固定する固定部が複数必要になるため、ケーシング内部のスペースを圧迫してしまい、ケーシングを小型化することが難しいといった問題がある。
【０００５】
本発明は、かかる課題の認識に基づいてなされたものであり、ケーシングの内部に複数の配線部を収納する場合であっても、配線部がケーシング内部の他の部品に接触することを抑制しつつ、ケーシングを小型化させることができる衛生洗浄装置を提供することを目的とする。
【課題を解決するための手段】
【０００６】
第１の発明は、ケーシングと、前記ケーシングの内部に設けられる機能部と、前記ケーシングの内部に設けられ、前記機能部を制御する制御部と、前記機能部または外部電源と、前記制御部と、を接続する複数の配線部と、前記複数の配線部を前記ケーシングの内部の所定の位置に保持する保持部材と、を備えたことを特徴とする衛生洗浄装置である。
【０００７】
この衛生洗浄装置によれば、１つの保持部材によって、複数の配線部をケーシングの内部の所定の位置に保持することができる。これにより、複数の配線部のそれぞれに対して別々の保持部材を設ける場合と比べて、保持部材によるケーシング内部のスペースの圧迫を抑制できる。したがって、ケーシングの内部に複数の配線部を収納する場合であっても、配線部がケーシング内部の他の部品に接触することを抑制しつつ、ケーシングを小型化させることができる。
【０００８】
第２の発明は、第１の発明において、前記複数の配線部の少なくとも一つは、接続線と、コネクタと、を有し、前記保持部材は、前記コネクタを保持することを特徴とする衛生洗浄装置である。
【０００９】
この衛生洗浄装置によれば、保持部材によって、コネクタを保持することができる。これにより、コネクタがケーシング内部の他の部品に接触することを抑制できる。
【００１０】
第３の発明は、第２の発明において、前記制御部は、スイッチング電源回路を有し、前記コネクタは、前記外部電源に接続される端子と前記スイッチング電源回路との間に設けられる電源コネクタであり、前記保持部材は、前記電源コネクタと前記スイッチング電源回路との間に設けられる隔離壁を有することを特徴とする衛生洗浄装置である。
【００１１】
電源コネクタがスイッチング電源回路の周辺にあると、電源コネクタとスイッチング電源回路との干渉により、周辺機器の誤作動を誘発するノイズが発生する場合がある。この衛生洗浄装置によれば、保持部材が隔離壁を有することで、電源コネクタをスイッチング電源回路から隔離することができる。これにより、電源コネクタとスイッチング電源回路との干渉によりノイズが発生することを抑制でき、結果として、ノイズによる周辺機器の誤作動を抑制できる。
【００１２】
第４の発明は、第２または第３の発明において、前記保持部材は、前記コネクタの上方の少なくとも一部を覆うカバー部を有することを特徴とする衛生洗浄装置である。
【００１３】
この衛生洗浄装置によれば、保持部材がカバー部を有することで、コネクタが浮き上がって保持部材から外れることを抑制できる。
【００１４】
第５の発明は、第４の発明において、前記カバー部は、開口を有することを特徴とする衛生洗浄装置である。
【００１５】
この衛生洗浄装置によれば、カバー部に開口を設けることで、開口からコネクタの収納状態や、コネクタの接続状態を確認することができる。換言すれば、保持部材を外さずにコネクタの収納状態や、コネクタの接続状態を確認できるため、メンテナンス性がよい。
【００１６】
第６の発明は、第１〜第５のいずれか１つの発明において、使用者の局部に向けて水を吐出するノズルと、給水源から供給された水を前記ノズルに導く導水部と、をさらに備え、前記保持部材は、前記複数の配線部の少なくとも一つと前記ノズル及び前記導水部の少なくともいずれかとの干渉を規制するための規制部を有することを特徴とする衛生洗浄装置である。
【００１７】
この衛生洗浄装置によれば、保持部材が規制部を有することで、配線部とノズルや導水部との干渉を抑制できる。これにより、ノズルや導水部に配線部が接触することにより不具合が生じることを抑制できる。特に、規制部により配線部とノズルとの干渉を規制することで、使用時に駆動するノズルに配線部が絡まって断線などの不具合が生じることを抑制できる。
【発明の効果】
【００１８】
本発明の態様によれば、ケーシングの内部に複数の配線部を収納する場合であっても、配線部がケーシング内部の他の部品に接触することを抑制しつつ、ケーシングを小型化させることができる衛生洗浄装置が提供される。
【図面の簡単な説明】
【００１９】
【図１】実施形態にかかる衛生洗浄装置を備えたトイレ装置を模式的に表す斜視図である。
【図２】実施形態にかかる衛生洗浄装置の要部構成を模式的に表すブロック図である。
【図３】図３（ａ）及び図３（ｂ）は、実施形態にかかる衛生洗浄装置の配線部を模式的に表すブロック図である。
【図４】実施形態にかかる衛生洗浄装置のケーシングの内部を模式的に表す斜視図である。
【図５】実施形態にかかる衛生洗浄装置のケーシングの内部を模式的に表す平面図である。
【図６】実施形態にかかる衛生洗浄装置のケーシングの内部を模式的に表す断面図である。
【図７】実施形態にかかる衛生洗浄装置のケーシングの内部を模式的に表す平面図である。
【図８】実施形態にかかる衛生洗浄装置のケーシングの内部を模式的に表す斜視図である。
【発明を実施するための形態】
【００２０】
以下、本発明の実施の形態について図面を参照しつつ説明する。なお、各図面中、同様の構成要素には同一の符号を付して詳細な説明は適宜省略する。  
図１は、実施形態にかかる衛生洗浄装置を備えたトイレ装置を模式的に表す斜視図である。  
図１に表したように、トイレ装置２は、洋式腰掛便器（以下説明の便宜上、単に「便器」と称する）４と、その上に設けられた衛生洗浄装置１０と、を備える。衛生洗浄装置１０は、ケーシング１２と、便座１４と、便蓋１６と、を有する。便座１４と便蓋１６とは、それぞれケーシング１２に対して開閉自在に軸支されている。
【００２１】
以下の実施形態の説明では、「上方」、「下方」、「前方」、「後方」、「右側方」、及び「左側方」を用いるが、これらの方向は、図１に表すように、便座１４に座った使用者から見た方向である。
【００２２】
ケーシング１２の内部には、便座１４に座った使用者の「おしり」などの洗浄を実現する身体洗浄機能部などが内蔵されている。また、例えばケーシング１２には、使用者が便座１４に座ったことを検知する着座検知センサ２０（図２参照）が設けられている。着座検知センサ２０が便座１４に座った使用者を検知している場合において、使用者が例えばリモコンなどの操作部６を操作すると、洗浄ノズル（以下説明の便宜上、単に「ノズル」と称する）２２を便器４のボウル４ａ内に進出させることができる。なお、図１に表した衛生洗浄装置１０では、ノズル２２がボウル４ａ内に進出した状態を表している。
【００２３】
ノズル２２は、人体局部に向けて水を吐出し、人体局部の洗浄を行う。ノズル２２の先端部には、ビデ洗浄吐水口２２ａ及びおしり洗浄吐水口２２ｂが設けられている。ノズル２２は、その先端に設けられたビデ洗浄吐水口２２ａから水を噴射して、便座１４に座った女性の女性局部を洗浄することができる。あるいは、ノズル２２は、その先端に設けられたおしり洗浄吐水口２２ｂから水を噴射して、便座１４に座った使用者の「おしり」を洗浄することができる。なお、本願明細書において「水」という場合には、冷水のみならず、加熱されたお湯も含むものとする。
【００２４】
「おしり」を洗浄するモードのなかには、例えば、「おしり洗浄」と、「おしり洗浄」よりもソフトな水流で優しく洗浄する「やわらか洗浄」と、が含まれる。ノズル２２は、例えば、「ビデ洗浄」と、「おしり洗浄」と、「やわらか洗浄」と、を実行することができる。
【００２５】
なお、図１に表したノズル２２では、ビデ洗浄吐水口２２ａがおしり洗浄吐水口２２ｂよりもノズル２２の先端側に設けられているが、ビデ洗浄吐水口２２ａおよびおしり洗浄吐水口２２ｂの設置位置は、これだけに限定されるわけではない。ビデ洗浄吐水口２２ａは、おしり洗浄吐水口２２ｂよりもノズル２２の後端側に設けられていてもよい。また、図１に表したノズル２２では、２つの吐水口が設けられているが、３つ以上の吐水口が設けられていてもよい。
【００２６】
図２は、実施形態にかかる衛生洗浄装置の要部構成を模式的に表すブロック図である。  図２では、水路系と電気系の要部構成を併せて表している。  
図２に表したように、衛生洗浄装置１０は、導水部３０を有する。導水部３０は、水道や貯水タンクなどの給水源ＷＳからノズル２２に至る管路３０ａを有する。導水部３０は、管路３０ａにより、給水源ＷＳから供給された水をノズル２２に導く。管路３０ａは、例えば、以下に説明する電磁弁３２、熱交換器ユニット４０、流路切替部５２などの各部と、これらの各部を接続する複数の配管と、によって形成される。
【００２７】
導水部３０の上流側には、電磁弁３２が設けられている。電磁弁３２は、開閉可能な電磁バルブであり、ケーシング１２の内部に設けられた制御部２４からの指令に基づいて水の供給を制御する。換言すれば、電磁弁３２は、管路３０ａを開閉する。電磁弁３２を開状態にすることにより、給水源ＷＳから供給された水が、管路３０ａに流れる。
【００２８】
電磁弁３２の下流には、調圧弁３４が設けられている。調圧弁３４は、給水圧が高い場合に、管路３０ａ内の圧力を所定の圧力範囲に調整する。調圧弁３４の下流には、逆止弁３６が設けられている。逆止弁３６は、管路３０ａ内の圧力が低下した場合などに、逆止弁３６よりも上流側への水の逆流を抑制する。
【００２９】
逆止弁３６の下流には、熱交換器ユニット４０（加熱部）が設けられている。熱交換器ユニット４０は、ヒータを有し、給水源ＷＳから供給された水を加熱して例えば規定の温度まで昇温する。すなわち、熱交換器ユニット４０は、温水を生成する。
【００３０】
熱交換器ユニット４０は、例えばセラミックヒータなどを用いた瞬間加熱式（瞬間式）の熱交換器である。瞬間加熱式の熱交換器は、貯湯タンクを用いた貯湯加熱式の熱交換器と比較すると、短い時間で水を規定の温度まで昇温させることができる。なお、熱交換器ユニット４０は、瞬間加熱式の熱交換器には限定されず、貯湯加熱式の熱交換器であってもよい。また、加熱部は、熱交換器に限ることなく、例えば、マイクロ波加熱を利用するものなど、他の加熱方式を用いたものでもよい。
【００３１】
熱交換器ユニット４０は、制御部２４と接続されている。制御部２４は、例えば、使用者による操作部６の操作に応じて熱交換器ユニット４０を制御することにより、操作部６で設定された温度に水を昇温する。
【００３２】
熱交換器ユニット４０の下流には、流量センサ４２が設けられている。流量センサ４２は、熱交換器ユニット４０から吐出された水の流量を検知する。すなわち、流量センサ４２は、管路３０ａ内を流れる水の流量を検知する。流量センサ４２は、制御部２４に接続されている。流量センサ４２は、流量の検知結果を制御部２４に入力する。
【００３３】
流量センサ４２の下流には、電解槽ユニット４４が設けられている。電解槽ユニット４４は、内部を流れる水道水を電気分解することにより、水道水から次亜塩素酸を含む液（機能水）を生成する。電解槽ユニット４４は、制御部２４に接続されている。電解槽ユニット４４は、制御部２４による制御に基づいて、機能水の生成を行う。
【００３４】
電解槽ユニット４４において生成される機能水は、例えば、銀イオンや銅イオンなどの金属イオンを含む溶液であってもよい。あるいは、電解槽ユニット４４において生成される機能水は、電解塩素やオゾンなどを含む溶液であってもよい。あるいは、電解槽ユニット４４において生成される機能水は、酸性水やアルカリ水であってもよい。
【００３５】
電解槽ユニット４４の下流には、バキュームブレーカ（ＶＢ）４６が設けられている。バキュームブレーカ４６は、例えば、水を流すための流路と、流路内に空気を取り込むための吸気口と、吸気口を開閉する弁機構と、を有する。弁機構は、例えば、流路に水が流れている時に吸気口を塞ぎ、水の流れの停止とともに吸気口を開放して流路内に空気を取り込む。すなわち、バキュームブレーカ４６は、導水部３０に水の流れが無い時に、管路３０ａ内に空気を取り込む。弁機構には、例えば、フロート弁が用いられる。
【００３６】
バキュームブレーカ４６は、上記のように管路３０ａ内に空気を取り込むことにより、例えば、管路３０ａのバキュームブレーカ４６よりも下流の部分の水抜きを促進させる。バキュームブレーカ４６は、例えば、ノズル２２の水抜きを促進する。
【００３７】
バキュームブレーカ４６の下流には、圧力変調装置４８が設けられている。圧力変調装置４８は、導水部３０の管路３０ａ内の水の流れに脈動または加速を与え、ノズル２２のビデ洗浄吐水口２２ａ及びおしり洗浄吐水口２２ｂやノズル洗浄室５４の吐水部から吐水される水に脈動を与える。すなわち、圧力変調装置４８は、管路３０ａ内を流れる水の流動状態を変動させる。圧力変調装置４８は、制御部２４に接続されている。圧力変調装置４８は、制御部２４による制御に基づいて、水の流動状態を変動させる。
【００３８】
圧力変調装置４８の下流には、流量調整部５０が設けられている。流量調整部５０は、水勢（流量）の調整を行う。流量調整部５０の下流には、流路切替部５２が設けられている。流路切替部５２は、ノズル２２やノズル洗浄室５４への給水の開閉や切替を行う。流量調整部５０及び流路切替部５２は、１つのユニットとして設けてもよい。流量調整部５０及び流路切替部５２は、制御部２４に接続されている。流量調整部５０及び流路切替部５２の動作は、制御部２４によって制御される。なお、流量調整部５０及び流路切替部５２は一体であってもよい。
【００３９】
流路切替部５２の下流には、ノズル２２、ノズル洗浄室５４、及び噴霧ノズル５６が設けられている。ノズル２２は、ノズルモータ５８からの駆動力を受け、便器４のボウル４ａ内に進出したり後退したりする。つまり、ノズルモータ５８は、制御部２４からの指令に基づいてノズル２２を進退させる。
【００４０】
ノズル洗浄室５４は、その内部に設けられた吐水部から機能水あるいは水を噴射することにより、ノズル２２の外周表面（胴体）を洗浄する。噴霧ノズル５６は、洗浄水や機能水をミスト状にしてボウル４ａに噴霧する。この例では、人体を洗浄するためのノズル２２とは別に噴霧ノズル５６を設けている。これに限ることなく、ミスト状の液体をボウル４ａに噴霧するための吐水口をノズル２２に設けてもよい。
【００４１】
また、流路切替部５２の下流には、おしり洗浄流路６１と、やわらか洗浄流路６２と、ビデ洗浄流路６３と、が設けられている。おしり洗浄流路６１及びやわらか洗浄流路６２は、導水部３０を介して給水源ＷＳから供給された水や電解槽ユニット４４において生成された機能水をおしり洗浄吐水口２２ｂへ導く。ビデ洗浄流路６３は、導水部３０を介して給水源ＷＳから供給された水や電解槽ユニット４４において生成された機能水をビデ洗浄吐水口２２ａへ導く。
【００４２】
また、流路切替部５２の下流には、表面洗浄流路６４と、噴霧用流路６５と、が設けられている。表面洗浄流路６４は、導水部３０を介して給水源ＷＳから供給された水や電解槽ユニット４４において生成された機能水をノズル洗浄室５４の吐水部へ導く。噴霧用流路６５は、導水部３０を介して給水源ＷＳから供給される水や電解槽ユニット４４において生成された機能水を噴霧ノズル５６に導く。
【００４３】
制御部２４は、流路切替部５２を制御することにより、おしり洗浄流路６１、やわらか洗浄流路６２、ビデ洗浄流路６３、表面洗浄流路６４、及び噴霧用流路６５の各流路の開閉を切り替える。このように、流路切替部５２は、ビデ洗浄吐水口２２ａ、おしり洗浄吐水口２２ｂ、ノズル洗浄室５４、及び噴霧ノズル５６などの複数の吐水口のそれぞれについて、管路３０ａに連通させた状態と、管路３０ａに連通させない状態と、を切り替える。
【００４４】
また、ケーシング１２の内部には、便座１４に座った使用者の「おしり」などに向けて温風を吹き付けて乾燥させる「温風乾燥機能」を実現する温風ユニット７０が設けられている。温風ユニット７０は、制御部２４と接続されている。制御部２４は、例えば、使用者による操作部６の操作に応じて温風ユニット７０を制御することにより、温風乾燥機能を実行する。温風ユニット７０は、必要に応じて設けられ、省略可能である。
【００４５】
このように、ケーシング１２の内部には、制御部２４により動作を制御される機能部１８が設けられている。機能部１８は、導水部３０の一部であってもよいし、導水部３０以外の部分であってもよい。機能部１８は、例えば、電磁弁３２、熱交換器ユニット４０、流量センサ４２、電解槽ユニット４４、圧力変調装置４８、流量調整部５０、流路切替部５２、ノズルモータ５８、及び温風ユニット７０の少なくともいずれかを含む。制御部２４は、これらの機能部１８の動作を制御する。
【００４６】
制御部２４は、制御回路２６と、スイッチング電源回路２８と、を有する。制御回路２６は、人体検知センサ２１や、着座検知センサ２０や、操作部６などからの信号に基づいて、電磁弁３２や、熱交換器ユニット４０や、流量センサ４２や、電解槽ユニット４４や、圧力変調装置４８や、流量調整部５０や、流路切替部５２や、ノズルモータ５８や、温風ユニット７０などの動作を制御する。
【００４７】
スイッチング電源回路２８は、端子２９を介して外部電源（例えば、ＡＣ１００Ｖ電源）に接続され、外部電源から供給された交流（ＡＣ）の電力を直流（ＤＣ）の電力に変換する。スイッチング電源回路２８は、直流に変換した電力を、制御回路２６に供給する。例えば、電磁弁３２、流量センサ４２、電解槽ユニット４４、圧力変調装置４８、流量調整部５０、流路切替部５２、及びノズルモータ５８には、制御回路２６を介して直流の電力が供給される。一方、例えば、熱交換器ユニット４０及び温風ユニット７０には、スイッチング電源回路２８を介して交流の電力が供給される。
【００４８】
各機能部１８と制御部２４とは、それぞれ配線部８０により接続されている。また、外部電源と制御部２４とは、配線部８１により接続されている。また、この例では、制御回路２６とスイッチング電源回路２８とが、それぞれ別の基板に設けられており、それぞれの基板が配線部により接続されている。制御回路２６とスイッチング電源回路２８とは、同じ基板に設けられていてもよい。配線部８０及び配線部８１については、後述する。
【００４９】
人体検知センサ２１は、ケーシング１２内に設けられ、便座１４に近づいた使用者（人体）を検知する。人体検知センサ２１は、便蓋１６を閉じた状態においても、使用者の存在を検知することができるように構成されている。制御部２４は、例えば、人体検知センサ２１による使用者の検知に応答して、便蓋１６を自動的に開く。
【００５０】
また、ケーシング１２には、「脱臭ユニット」や「室内暖房ユニット」などの各種の機構が適宜設けられていてもよい。この際、ケーシング１２の側面には、脱臭ユニットからの排気口及び室内暖房ユニットからの排出口が適宜設けられる。ただし、衛生洗浄装置１０は、少なくとも衛生洗浄機能部を有していればよい。
【００５１】
図３（ａ）及び図３（ｂ）は、実施形態にかかる衛生洗浄装置の配線部を模式的に表すブロック図である。  
図３（ａ）は、機能部１８と制御部２４とを接続する配線部８０を表す。  
図３（ｂ）は、外部電源と制御部２４とを接続する配線部８１を表す。  
図３（ａ）及び図３（ｂ）に表したように、配線部８０及び配線部８１は、例えば、接続線８２と、コネクタ８４と、を有する。
【００５２】
図３（ａ）に表した例では、配線部８０は、第１の接続線８２１と、第１のコネクタ８４１と、第２の接続線８２２と、第２のコネクタ８４２と、を有する。第１の接続線８２１は、機能部１８から延びている。第１のコネクタ８４１は、第１の接続線８２１の端部に設けられている。第１の接続線８２１の一端は、機能部１８に接続され、第１の接続線８２１の他端は、第１のコネクタ８４１に接続されている。第２の接続線８２２は、制御部２４から延びている。第２のコネクタ８４２は、第２の接続線８２２の端部に設けられている。第２の接続線８２２の一端は、制御部２４に接続され、第２の接続線８２２の他端は、第２のコネクタ８４２に接続されている。第２のコネクタ８４２は、第１のコネクタ８４１に接続されている。このように、機能部１８と制御部２４とは、配線部８０（第１の接続線８２１、第１のコネクタ８４１、第２の接続線８２２、及び第２のコネクタ８４２）により接続されている。
【００５３】
同様に、図３（ｂ）に表した例では、配線部８１は、第３の接続線８２３と、第３のコネクタ８４３と、第４の接続線８２４と、第４のコネクタ８４４と、を有する。第３の接続線８２３は、外部電源に接続される端子２９から延びている。第３のコネクタ８４３は、第３の接続線８２３の端部に設けられている。第３の接続線８２３の一端は、端子２９に接続され、第３の接続線８２３の他端は、第３のコネクタ８４３に接続されている。第４の接続線８２４は、制御部２４から延びている。第４のコネクタ８４４は、第４の接続線８２４の端部に設けられている。第４の接続線８２４の一端は、制御部２４に接続され、第４の接続線８２４の他端は、第４のコネクタ８４４に接続されている。第４のコネクタ８４４は、第３のコネクタ８４３に接続されている。このように、外部電源（外部電源に接続される端子２９）と制御部２４とは、配線部８１（第３の接続線８２３、第３のコネクタ８４３、第４の接続線８２４、及び第４のコネクタ８４４）により接続されている。
【００５４】
実施形態において、ケーシング１２の内部には、機能部１８または外部電源と、制御部２４と、を接続する複数の配線部（配線部８０及び配線部８１）が設けられる。より具体的には、ケーシング１２の内部には、機能部１８と制御部２４とを接続する配線部８０と、外部電源と制御部２４とを接続する配線部８１の一部と、が収納される。
【００５５】
図４は、実施形態にかかる衛生洗浄装置のケーシングの内部を模式的に表す斜視図である。  
図５は、実施形態にかかる衛生洗浄装置のケーシングの内部を模式的に表す平面図である。  
図６は、実施形態にかかる衛生洗浄装置のケーシングの内部を模式的に表す断面図である。  
図６は、図５に示したＡ−Ａ線による断面図である。  
図４〜図６に表したように、ケーシング１２の内部には、保持部材９０が設けられている。保持部材９０は、複数の配線部をケーシング１２の内部の所定の位置に保持する。なお、複数の配線部は、１つ以上の配線部８０と１つの配線部８１とであってもよいし、２つ以上の配線部８０であってもよい。換言すれば、保持部材９０は、配線部８１を保持しなくてもよい。ただし、後述のように、ノイズの発生を抑制するために、保持部材９０は、配線部８１を保持することが好ましい。また、ケーシング１２の内部の所定の位置は、ケーシング１２内部の他の部品に接触しない位置である。
【００５６】
この例では、保持部材９０は、３つの配線部８０（配線部８０ａ〜８０ｃ）及び配線部８１を保持している。配線部８０ａは、接続線８２ａとコネクタ８４ａとを有し、流量調整部５０と制御部２４とを接続している。配線部８０ｂは、接続線８２ｂとコネクタ８４ｂとを有し、電解槽ユニット４４と制御部２４とを接続している（図８参照）。配線部８０ｃは、接続線８２ｃとコネクタ８４ｃとを有し、温風ユニット７０と制御部２４とを接続している。コネクタ８４ｂは、コネクタ８４ｃの下に位置する。配線部８１は、接続線８２ｄと電源コネクタ８４ｄとを有し、外部電源（外部電源に接続される端子２９）と制御部２４とを接続している。
【００５７】
このように、実施形態によれば、１つの保持部材９０によって、複数の配線部をケーシング１２の内部の所定の位置に保持することができる。これにより、複数の配線部のそれぞれに対して別々の保持部材を設ける場合と比べて、保持部材によるケーシング１２内部のスペースの圧迫を抑制できる。したがって、ケーシング１２の内部に複数の配線部を収納する場合であっても、配線部がケーシング１２内部の他の部品に接触することを抑制しつつ、ケーシング１２を小型化させることができる。
【００５８】
また、保持部材９０は、配線部８０ａ〜８０ｃのコネクタ８４ａ〜８４ｃ及び配線部８１の電源コネクタ８４ｄを保持している。このように、保持部材９０がコネクタ８４を保持することで、コネクタ８４がケーシング１２内部の他の部品に接触することを抑制できる。
【００５９】
なお、保持部材９０は、接続線８２を保持せずにコネクタ８４を所定の位置に保持してもよいし、コネクタ８４を保持せずに接続線８２を所定の位置に保持してもよいし、接続線８２及びコネクタ８４の両方を所定の位置に保持してもよい。また、保持部材９０は、配線部ごとに異なる部分を保持していてもよい。換言すれば、保持部材９０は、例えば、１つの配線部８０においてはコネクタ８４を保持し、別の配線部８０においては接続線８２を保持していてもよい。
【００６０】
配線部（配線部８０及び配線部８１）は、保持部材９０に固定されることで保持部材９０に保持されてもよいが、これに限定されない。例えば、配線部が保持部材９０に固定されていないものの、保持部材９０により配線部の移動が規制される場合も、配線部が保持部材９０に保持されているとみなすことができる。
【００６１】
保持部材９０は、例えば、制御回路２６を有する制御基板２５を支持するフレームに固定される。保持部材９０は、ケーシング１２内部の他の部品に固定されていてもよい。また、保持部材９０は、ケーシング１２自体に固定されてもよい。保持部材９０は、直接的または間接的にケーシング１２の下側の部材（ケースプレート）に固定されることが好ましい。保持部材９０は、上下方向において、制御基板２５と重なる位置に設けられることが好ましい。
【００６２】
保持部材９０は、コネクタ８４の上方の少なくとも一部を覆うカバー部９２を有する。この例では、カバー部９２は、コネクタ８４ａ、コネクタ８４ｃ、及び電源コネクタ８４ｄのそれぞれの上方の一部を覆っている。このように、保持部材９０がカバー部９２を有することで、コネクタ８４が浮き上がって保持部材９０から外れることを抑制できる。
【００６３】
また、カバー部９２には、開口９３が設けられている。この例では、コネクタ８４ａ、コネクタ８４ｃ、及び電源コネクタ８４ｄのそれぞれの上方に開口９３が設けられている。このような開口９３を設けることで、開口９３からコネクタ８４の収納状態や、コネクタ８４の接続状態を確認することができる。換言すれば、保持部材９０を外さずにコネクタ８４の収納状態や、コネクタ８４の接続状態を確認できるため、メンテナンス性がよい。
【００６４】
また、保持部材９０は、区画壁９４を有する。区画壁９４は、カバー部９２から下方に延びる立面部である。各配線部（配線部８０及び配線部８１）は、区画壁９４によって区切られた領域にそれぞれ収納される。なお、１つの区画に複数の配線部が収納されてもよい。
【００６５】
また、保持部材９０は、電源コネクタ８４ｄとスイッチング電源回路２８との間に設けられる隔離壁９６を有する。隔離壁９６は、カバー部９２から下方に延びる立面部である。この例では、隔離壁９６は、電源コネクタ８４ｄとコネクタ８４ａとの間の区画壁９４を兼ねている。
【００６６】
電源コネクタ８４ｄがスイッチング電源回路２８の周辺にあると、電源コネクタ８４ｄとスイッチング電源回路２８との干渉により、周辺機器の誤作動を誘発するノイズが発生する場合がある。これに対し、保持部材９０に隔離壁９６を設けることで、電源コネクタ８４ｄをスイッチング電源回路２８から隔離することができる。換言すれば、隔離壁９６は、電源コネクタ８４ｄをノイズが発生しやすいエリア（ノイズエリア）から遠ざけることができる。これにより、電源コネクタ８４ｄとスイッチング電源回路２８との干渉によりノイズが発生することを抑制でき、結果として、ノイズによる周辺機器の誤作動を抑制できる。
【００６７】
また、保持部材９０は、電源コネクタ８４ｄの下方に位置する支持部９７を有する。このような支持部９７を設けることで、電源コネクタ８４ｄが下方に動くことを抑制することができる。
【００６８】
図７は、実施形態にかかる衛生洗浄装置のケーシングの内部を模式的に表す平面図である。  
図８は、実施形態にかかる衛生洗浄装置のケーシングの内部を模式的に表す斜視図である。  
図７及び図８に表したように、保持部材９０は、規制部９８を有する。規制部９８は、複数の配線部（配線部８０及び配線部８１）の少なくとも一つとノズル２２及び導水部３０の少なくともいずれかとの干渉を規制する。換言すれば、規制部９８は、配線部８０や配線部８１がノズル２２や導水部３０に接触しないように、配線部８０や配線部８１の移動を規制する。
【００６９】
この例では、規制部９８は、立面部９８ａにより、配線部８０ｃの接続線８２ｃとノズル２２や導水部３０との干渉を規制している。より具体的には、立面部９８ａは、配線部８０ｃの接続線８２ｃがノズル２２や電解槽ユニット４４などの導水部３０と干渉しないように、配線部８０ｃの接続線８２ｃを図７に破線で示した領域に誘導している。
【００７０】
なお、規制部９８は、保持部材９０によってコネクタ８４が保持されていない配線部８０の接続線８２やコネクタ８４とノズル２２や導水部３０との干渉を規制してもよい。例えば、機能部１８が、ノズル２２や導水部３０を挟んで制御部２４とは反対側に位置する場合、規制部９８によって、この機能部１８の配線部８０とノズル２２や導水部３０との干渉を規制するのが好ましい。
【００７１】
このように、保持部材９０に規制部９８を設けることで、配線部８０や配線部８１とノズル２２や導水部３０との干渉を抑制できる。これにより、ノズル２２や導水部３０に配線部８０や配線部８１が接触することにより不具合が生じることを抑制できる。特に、規制部９８により配線部８０や配線部８１とノズル２２との干渉を規制することで、使用時に駆動するノズル２２に配線部８０や配線部８１が絡まって断線などの不具合が生じることを抑制できる。
【００７２】
また、この例では、規制部９８は、２つの上面部９８ｂを有している。２つの上面部９８ｂは、規制部９８の上部において、互いに異なる方向に延びている。この例では、上面部９８ｂの１つは、前方側に位置する立面部９８ａの上部から後方に向かって延びており、上面部９８ｂの別の１つは、後方側に位置する立面部９８ａの上部から前方に向かって延びている。２つの上面部９８ｂは、配線部８０ｃの接続線８２ｃの上に設けられている。換言すれば、配線部８０ｃの接続線８２ｃは、２つの上面部９８ｂの下に収納されている。このような上面部９８ｂを設けることで、配線部８０ｃの接続線８２ｃが浮き上がって規制部９８から外れることを抑制できる。また、互いに異なる方向に延びる複数の上面部９８ｂを設けることで、どの方向に力がかかった場合にも、配線部８０ｃの接続線８２ｃが浮き上がって規制部９８から外れることをより確実に抑制できる。
【００７３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、衛生洗浄装置１０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７４】
２ トイレ装置、  ４ 便器、  ４ａ ボウル、  ６ 操作部、  １０ 衛生洗浄装置、  １２ ケーシング、  １４ 便座、  １６ 便蓋、  １８ 機能部、  ２０ 着座検知センサ、  ２１ 人体検知センサ、  ２２ ノズル、  ２２ａ ビデ洗浄吐水口、  ２２ｂ おしり洗浄吐水口、  ２４ 制御部、  ２５ 制御基板、  ２６ 制御回路、  ２８ スイッチング電源回路、  ２９ 端子、  ３０ 導水部、  ３０ａ 管路、  ３２ 電磁弁、  ３４ 調圧弁、  ３６ 逆止弁、  ４０ 熱交換器ユニット、  ４２ 流量センサ、  ４４ 電解槽ユニット、  ４６ バキュームブレーカ、  ４８ 圧力変調装置、  ５０ 流量調整部、  ５２ 流路切替部、  ５４ ノズル洗浄室、  ５６ 噴霧ノズル、  ５８ ノズルモータ、  ６１ おしり洗浄流路、  ６２ やわらか洗浄流路、  ６３ ビデ洗浄流路、  ６４ 表面洗浄流路、  ６５ 噴霧用流路、  ７０ 温風ユニット、  ８０、８０ａ〜８０ｃ、８１ 配線部、  ８２、８２ａ〜８２ｄ 接続線、  ８４、８４ａ〜８４ｄ コネクタ、  ９０ 保持部材、  ９２ カバー部、  ９３ 開口、  ９４ 区画壁、  ９６ 隔離壁、  ９７ 支持部、  ９８ 規制部、  ９８ａ 立面部、  ９６ｂ 上面部、  ８２１〜８２４ 第１〜第４の接続線、  ８４１〜８４４ 第１〜第４のコネクタ、  ＷＳ 給水源
【図１】
2020100962.tif 000003
【図２】
2020100962.tif 000004
【図３】
2020100962.tif 000005
【図４】
2020100962.tif 000006
【図５】
2020100962.tif 000007
【図６】
2020100962.tif 000008
【図７】
2020100962.tif 000009
【図８】
2020100962.tif 000010